(57)【要約】【課題】高齢者が安心してスクワット運動を実施可能な運動器具を提供する。【解決手段】使用者の足を載せるステップ板（１１）を備えた基台（１０）と、この基台（１０）に立設した支柱（２０）と、弾性体によって上下方向に揺動可能とした座板（３０）と、使用者の上体を上方へ牽引する牽引手段（４０）とを備えたスクワット運動用の運動器具であって、牽引手段（４０）の端部を支柱（２０）に装着することで、座板（３０）に着座した使用者の上体を牽引手段（４０）で上方へ牽引した状態として、使用者にスクワット運動させる運動器具とする。牽引手段（４０）は、使用者の背中に当てがわせるシート体（４１）と、このシート体（４１）に一方端を接続してシート体（４１）を牽引する長手状の伸縮体（４２）とで構成し、伸縮体（４２）の他方端を支柱（２０）に装着している。【選択図】図１
2018000910.tif 000002
【特許請求の範囲】
【請求項１】
スクワット運動用の運動器具であって、
使用者の足を載せるステップ板を備えた基台と、
この基台に立設した支柱と、
弾性体によって上下方向に揺動可能とした座板と、
前記使用者の上体を上方へ牽引する牽引手段と
を備え、
前記牽引手段の端部を前記支柱に装着することで、前記座板に着座した前記使用者の上体を前記牽引手段で上方へ牽引した状態として、前記使用者にスクワット運動させる運動器具。
【請求項２】
前記牽引手段は、
前記使用者の背中に当てがわせるシート体と、
このシート体に一方端を接続して前記シート体を牽引する長手状の伸縮体と
を有し、
前記伸縮体の他方端を前記支柱に装着している請求項１に記載の運動器具。
【請求項３】
前記座板は前記支柱に基端を回動自在に装着した座板用アームの先端に設け、
前記座板を上下方向に揺動させる前記弾性体としてのコイルバネを貫通するガイドロッドを設けて、
このガイドロッドの一方端を前記座板用アームの中途部に枢着するとともに他方端を前記基台に枢着することで、前記座板を上方へ付勢している請求項１または請求項２に記載の運動器具。
【請求項４】
前記支柱には、前記支柱に回動自在に装着した座板用アームの回動軸方向と平行に突出させて棒状のハンドルを設け、
このハンドルと平行で、かつこのハンドルよりも上方において前記支柱に回動自在に装着した回動ロッドを設け、
前記牽引手段の前記伸縮体を前記回動ロッドに掛架して前記伸縮体の端部を前記ハンドルと前記支柱の連結部に装着している請求項３に記載の運動器具。
【発明の詳細な説明】
【技術分野】
【０００１】  本発明は、運動器具に関し、特にスクワット用の運動器具に関する。
【背景技術】
【０００２】  昨今、高齢者であってもある程度の筋力がある方が健康的な生活ができることから、高齢者向けのトレーニング機器が販売されている。このようなトレーニング機器は、一般的なスポーツジム向けのトレーニング機器と同じであって、高齢者施設に設置する場合には、高負荷状態で使用することがないために、最大ウエイトを落とした状態としていることが多い。【０００３】  各種の運動において、特に足の筋肉は重要であり、いわゆるレッグプレスやレッグエクステンション等のトレーニング機器が利用されることが多い。【０００４】  足の筋力強化の方法としては、単にスクワット運動を行うだけでもよく、スクワット運動を補助する器具も提案されている（例えば、特許文献１参照。）。
【先行技術文献】
【特許文献】
【０００５】
【特許文献１】特開２０１２−０９５９９６号公報
【発明の概要】
【発明が解決しようとする課題】
【０００６】  しかしながら、高齢者がスクワット運動を行う場合には、足の筋力強化以前に膝や腰等の関節痛によって正しい動作での運動を行い難かったり、体幹の筋肉が不足していることで姿勢維持が困難であったりすることがあり、既存の運動器具では利用が困難な場合が多かった。【０００７】  本発明者は、このような現状に鑑み、高齢者が安心してスクワット運動を実施可能な運動器具の開発を行い、本発明を成すに至ったものである。
【課題を解決するための手段】
【０００８】  本発明のスクワット運動用の運動器具では、使用者の足を載せるステップ板を備えた基台と、この基台に立設した支柱と、弾性体によって上下方向に揺動可能とした座板と、使用者の上体を上方へ牽引する牽引手段とを備えて、牽引手段の端部を支柱に装着することで、座板に着座した使用者の上体を牽引手段で上方へ牽引した状態として、使用者にスクワット運動させるものである。【０００９】  さらに、本発明の運動器具では、以下の点にも特徴を有するものである。
（１）牽引手段は、使用者の背中に当てがわせるシート体と、このシート体に一方端を接続してシート体を牽引する長手状の伸縮体とを有し、伸縮体の他方端を支柱に装着していること。
（２）座板は支柱に基端を回動自在に装着した座板用アームの先端に設け、座板を上下方向に揺動させる弾性体としてのコイルバネを貫通するガイドロッドを設けて、このガイドロッドの一方端を座板用アームの中途部に枢着するとともに他方端を基台に枢着することで、座板を上方へ付勢していること。
（３）支柱には、支柱に回動自在に装着した座板用アームの回動軸方向と平行に突出させて棒状のハンドルを設け、このハンドルと平行で、かつこのハンドルよりも上方において支柱に回動自在に装着した回動ロッドを設け、牽引手段の伸縮体を回動ロッドに掛架して伸縮体の端部をハンドルと支柱の連結部に装着していること。
【発明の効果】
【００１０】  本発明の運動器具では、高齢者が、安心してスクワット運動することができる。
【図面の簡単な説明】
【００１１】
【図１】本発明に係る運動器具の斜視図である。
【図２】本発明に係る運動器具の使用状態の説明図である。
【図３】本発明に係る運動器具の使用状態の説明図である。
【発明を実施するための形態】
【００１２】  本発明のスクワット運動用の運動器具では、使用者の上体を支持する手段を有するとともに、十分ではない脚力を補うための上下方向に揺動可能とした座板を設けているものである。
【００１３】  具体的には、図１に示すように、本発明の運動器具は、使用者の足を載せるステップ板１１を備えた基台１０と、この基台１０に立設した支柱２０と、弾性体によって上下方向に揺動可能とした座板３０と、使用者の上体を上方へ牽引する牽引手段４０とを備えるものである。
【００１４】  基台１０は、本実施形態では、前後方向に延伸させた中心基体１２と、この中心基体１２の前方端に中心基体１２と直交させて設けた前方基体１３と、中心基体１２の後方端に中心基体１２と直交させて設けた後方基体１４とで、縦長の「エ」字状としている。
【００１５】  中心基体１２は金属製の角柱材としており、金属製の円柱材で構成する前方基体１３と後方基体１４とを貫通させる開口をそれぞれ形成し、この開口に所定長さの円柱材を挿通させて前方基体１３及び後方基体１４としている。中心基体１２と前方基体１３及び後方基体１４は、それぞれ溶接している。前方基体１３及び後方基体１４の両端部分には、それぞれゴム製のキャップ１５を装着して、滑り止めとしている。
【００１６】  前方基体１３と後方基体１４の間である中心基体１２の中央部分には、平板状としたステップ板１１を挿通させる開口を設けており、この開口部分にステップ板１１を挿通させてネジ止めすることで、ステップ板１１を中心基体１２に装着している。ステップ板１１は、木製の平板として、このステップ板１１上に立った使用者の足下が滑らないようにしている。
【００１７】  支柱２０は、金属製の角柱材としており、中心基体１２の前端部分から上方に向けて起立させて設けている。支柱２０の下端部は、中心基体１２の前方端部の上面に溶接しており、さらに、この支柱２０の下端部と、中心基体１２の前方端部の左右側面にそれぞれ金属製の平板で構成した補強板２１を溶接して、支柱２０と中心基体１２とを強固に一体化させている。
【００１８】  支柱２０には、所定の高さに棒状のハンドル２２を支柱２０から水平方向に突出させて設けている。すなわち、ハンドル２２は、前方基体１３と平行としており、支柱２０の左右側面から突出させて設けている。ハンドルには、ウレタン等の適宜の弾性材料を表面に装着して、握り易くしている。
【００１９】  さらに、支柱２０には、ハンドル２２よりも上方である上端部分にハンドル２２と平行として回動ロッド２３を装着している。回動ロッド２３は、支柱２０の上端部分に設けた軸受け（図示せず）を介して支柱２０に装着することで回動自在としている。回動ロッド２３も、支柱２０の左右側面から突出させて設けている。
【００２０】  さらに、支柱２０には、回動ロッド２３から所定間隔を隔てて回動ロッド２３と平行として棒状の保護バー２４を装着している。この保護バー２４は、後述する牽引手段４０が回動ロッド２３から外れることを防止するために設けているものであり、保護バー２４の両端部は、回動ロッド２３の端部に向けてそれぞれ屈曲させて、回動ロッド２３の端部からも牽引手段４０が外れることを防止している。
【００２１】  座板３０は、平面視長円状とした板体で、上面にクッションとしての弾性シートを装着している。
【００２２】  座板３０は、支柱２０の中途部に基端を回動自在に装着した座板用アーム３１の先端に設けている。座板用アーム３１の基端は、ハンドル２２と平行に設けた枢軸３２を介して支柱２０に装着することで、上下方向に揺動可能としている。特に、枢軸３２とハンドル２２とを平行としていることで、座板３０の昇降方向は、棒状としたハンドル２２の延伸方向と直交することとなり、座板３０に着座する使用者は、腕を前に出してハンドル２２を握った状態で、スクワット運動をすることができる。
【００２３】  座板用アーム３１の中途部にはガイドロッド３３の一方端を枢着し、このガイドロッド３３の他方端は基台に枢着し、このガイドロッド３３にコイルバネ３４を装着して、このコイルバネ３４で座板用アーム３１を上方へと付勢している。
【００２４】  コイルバネ３４は、長さを調整しておくことで、図１に示すように、座板３０に使用者が着座していない状態では、座板用アーム３１の基端側よりも座板３０装着されている先端側を高くしている。このように座板用アーム３１を傾斜させておくことで、使用者が座板３０に着座する際に、座板用アーム３１を障害物と認識しづらくすることができ、着座の動作を行いやすくすることができる。
【００２５】  ガイドロッド３３は、金属パイプで構成しており、特に、第１パイプと第２パイプとで構成しており、第１パイプの外径寸法を第２パイプの内径寸法よりも小さくしておくことで、第１パイプを第２パイプ内に挿入可能として、伸縮自在としている。本実施形態では、第１パイプの上端を上部枢軸３５を介して座板用アーム３１の中途部に枢着し、第２パイプの下端を下部枢軸（図示せず）を介して基台の中心基体１２に枢着している。特に、第２パイプの下端は、中心基体１２の前端部分において補強板２１を利用して枢着しており、下部枢軸を回動中心としてガイドロッド３３を回動可能としている。
【００２６】  本実施形態では、座板３０を上下方向に揺動させる弾性体として、コイルバネ３４とこのコイルバネ３４を支持ずるためのガイドロッド３３を用いているが、このコイルバネ３４と同等の機能を有する油圧ダンパー等の適宜の付勢手段を用いてもよい。
【００２７】  牽引手段４０は、図２及び図３に示すように、使用者の背中に当てがわせるシート体４１と、このシート体４１に一方端を接続してシート体４１を牽引する長手状の伸縮体４２とで構成している。
【００２８】  シート体４１は、一方の脇の下から背中を通って他方の脇の下まで長さとした帯状としており、人造皮革製のシートでウレタン等の適宜の弾性材を包むことで厚手状とし、使用者の背中にフィットしやすくしている。
【００２９】  伸縮体４２は、本実施形態ではゴム紐としている。特に、チューブトレーニング等のゴム紐を用いたトレーニングで使用するゴム紐が好適である。ゴム紐の一方端は、図１に示すように、帯状のシート体４１の一方端に装着し、他方端は、ゴム紐の中途部を回動ロッド２３に掛架してハンドル２２と支柱２０の連結部に装着することで、支柱２０に装着している。なお、本実施形態では、ハンドル２２と支柱２０の連結部へのゴム紐の装着は、ゴム紐を掛け回すことで行っている。また、本実施形態では、実質的にシート体４１の両端にそれぞれ１本のゴム紐を装着しているが、必要に応じて複数本のゴム紐を装着してもよく、あるいはゴム紐と同等の伸縮性を有する伸縮材料を用いてもよい。
【００３０】  本発明の運動器具を使用する場合には、図２に示すように、使用者は、座板用アーム３１を跨いでステップ板１１の上に立ち、シート体４１と伸縮体４２とで輪状となっている牽引手段４０に頭から差し入れてシート体４１を背中に当てがわせるとともに、シート体４１の両端をそれぞれ脇の下から前方に引き出せた状態とする。
【００３１】  そして、使用者は、腕の前方に差し出してハンドル２２を握り、軽く腰をかがめることで臀部を座板３０に当てた状態とする。このとき、使用者の上体は、牽引手段４０によって上方に軽く牽引された状態となっている。
【００３２】  次いで、図３に示すように、使用者がしゃがみ込む動作をすると、ある程度を越えた段階でコイルバネ３４による付勢と伸縮体４２による付勢との作用を受け、立ち上がり方向への動作にスムーズに移行することができる。特に、立ち上がり動作の開始時に、姿勢を維持するための膝や腰にかかる負担を軽減できるので、膝や腰に痛みを生じ難くすることができ、容易にスクワット運動をすることができる。
【００３３】  また、図３に示すように、使用者がしゃがんだ姿勢となった際には、伸縮体４２であるゴム紐の回動ロッド２３の掛架位置は、図２に示すように、使用者ほとんど立っている状態での掛架位置よりも支柱２０から離れた位置となる。すなわち、スクワット運動にともなって、ゴム紐の回動ロッド２３の掛架位置が移動するが、回動ロッド２３が回動することでスムーズに移動可能となっている。
【００３４】  仮に回動ロッド２３が回動しないとした場合には、ゴム紐の摩擦係数が高いことによって、掛架位置の移動が生じることはなく、実質的には、ゴム紐の端部を回動ロッド２３の位置に装着していることと同じとなる。この場合、使用者がしゃがんだ姿勢となった際には、牽引手段４０のシート体４１の両端が内側に入り込む状態となるため、使用者に対して胸部の締め付けを行っていることとなり、息苦しさを感じさせるおそれがある。
【００３５】  これに対して、ゴム紐の回動ロッド２３の掛架位置が移動することで、このような牽引手段４０のシート体４１による胸部の締め付けが生じることはなく、使用者は集中してスクワット運動を行うことができる。
【符号の説明】
【００３６】  １０  基台
１１  ステップ板
１２  中心基体
１３  前方基体
１４  後方基体
１５  キャップ
２０  支柱
２１  補強板
２２  ハンドル
２３  回動ロッド
２４  保護バー
３０  座板
３１  座板用アーム
３２  枢軸
３３  ガイドロッド
３４  コイルバネ
３５  上部枢軸
４０  牽引手段
４１  シート体
４２  伸縮体
【図１】
2018000910.tif 000003
【図２】
2018000910.tif 000004
【図３】
2018000910.tif 000005